(57)【要約】【課題】画像の取得元や出力先などの情報をユーザが容易に登録できるとともに、登録された取得元や出力先などの情報をユーザが容易に利用することができる画像処理装置を提供する。【解決手段】画像処理装置ＭＦＰは、表示部１３８と、画像の取得元を示す第１の情報と画像の編集内容を示す第２の情報と画像の出力先を示す第３の情報とを互いに対応付けて設定情報群として記憶する記憶部１０２と、第１から第３の情報を受け付ける受付手段１００１と、受付手段が第１から第３の情報を受け付ける際に、表示部の第１から第３のエリアのそれぞれに第１から第３の情報を受け付けるための画像を表示する表示制御手段１００７と、受付手段が第１から第３の情報の少なくとも２つを受け付けた際に、第１から第３の情報の少なくとも２つを設定情報群として記憶部に登録する登録手段１００６とを含む。【選択図】図４
2010074409.tif 000002
【特許請求の範囲】
【請求項１】
表示部と、
画像の取得元を示す第１の情報と前記画像の編集内容を示す第２の情報と前記画像の出力先を示す第３の情報とを互いに対応付けて設定情報群として記憶する記憶部と、
前記第１から第３の情報を受け付ける受付手段と、
前記受付手段が前記第１から第３の情報を受け付ける際に、前記表示部の第１から第３のエリアのそれぞれに前記第１から第３の情報を受け付けるための画像を表示する表示制御手段と、
前記受付手段が前記第１から第３の情報の少なくとも２つを受け付けた際に、前記第１から第３の情報の少なくとも２つを前記設定情報群として前記記憶部に登録する登録手段とを備える、画像処理装置。
【請求項２】
外部からの読み出し命令に応じて、前記記憶部から前記設定情報群を読み出す読出手段をさらに備え、
前記表示制御手段は、前記読出手段によって読み出された前記設定情報群に基づいて、前記表示部の前記第１から第３のエリアの少なくとも２つのそれぞれに前記第１から第３の情報の少なくとも２つを表示する、請求項１に記載の画像処理装置。
【請求項３】
前記読出手段が読み出した前記第１の情報に対応する取得元から前記画像を取得する取得手段をさらに備える、請求項１または２に記載の画像処理装置。
【請求項４】
前記読出手段が読み出した前記第２の情報に対応する編集内容に基づいて前記画像を編集する編集手段をさらに備える、請求項１から３のいずれか１項に記載の画像処理装置。
【請求項５】
前記読出手段が読み出した前記第３の情報に対応する出力先へと画像を出力する出力手段をさらに備える、請求項１から４のいずれか１項に記載の画像処理装置。
【請求項６】
前記表示制御手段は、ユーザが第１から第３の情報を順次入力する入力動作に対応して前記第１から第３のエリアを配置する、請求項１から５のいずれか１項に記載の画像処理装置。
【請求項７】
前記表示制御手段は、前記受付手段が前記第１の情報を受け付ける際に、前記表示部の第２のエリアに複数の取得元を選択可能に表示する、請求項１から６のいずれか１項に記載の画像処理装置。
【請求項８】
前記表示制御手段は、前記受付手段が前記第３の情報を受け付ける際に、前記表示部の前記第２のエリアに複数の出力先を選択可能に表示する、請求項１から７のいずれか１項に記載の画像処理装置。
【請求項９】
前記受付手段は、前記第１から第３の情報を受け付ける際に、登録モードの選択を受け付け、
前記登録手段は、
前記受付手段が第１の登録モードを受け付けた際に、前記第１から第３の情報の少なくとも２つに基づいて、新たな設定情報群を前記記憶部に登録し、
前記受付手段が第２の登録モードを受け付けた際に、前記第１から第３の情報の少なくとも２つに基づいて、前記記憶部の設定情報群を更新する、請求項１から８のいずれか１項に記載の画像処理装置。
【請求項１０】
前記表示制御手段は、前記受付手段が前記第１から第３の情報を受け付ける際に、前記表示部に登録中である旨を表示する、請求項１から９のいずれか１項に記載の画像処理装置。
【請求項１１】
前記表示制御手段は、前記表示部に前記第１から第３のエリア以外のエリアに前記登録中である旨を表示する、請求項１０に記載の画像処理装置。
【請求項１２】
前記表示制御手段は、前記受付手段が前記第１から第３の情報のうちの少なくとも２つの情報を受け付けた際に、前記表示部の前記第２のエリアに前記少なくとも２つの情報を表示し、
前記受付手段は、前記少なくとも２つの情報を前記設定情報群として記憶するか否かの命令を受け付ける、請求項１から１１に記載の画像処理装置。
【請求項１３】
前記表示制御手段は、前記表示部の前記第２のエリアに前記少なくとも２つの情報の各々を示すアイコンを表示する、請求項１２に記載の画像処理装置。
【請求項１４】
前記受付手段は、前記アイコンの表示形態を変更するための変更命令を受け付け、
前記表示制御手段は、前記表示部に前記変更命令に応じた表示形態で前記アイコンを表示する、請求項１３に記載の画像処理装置。
【請求項１５】
画像処理装置における画像処理方法であって、
前記画像処理装置は、
表示部と、
記憶部と、
演算処理部とを備え、
前記画像処理方法は、
前記演算処理部が、画像の取得元を示す第１の情報と前記画像の編集内容を示す第２の情報と前記画像の出力先を示す第３の情報とを受け付けるステップと、
前記演算処理部が、前記第１から第３の情報を受け付ける際に、前記表示部の第１から第３のエリアのそれぞれに前記第１から第３の情報を受け付けるための画像を表示するステップと、
前記演算処理部が、前記第１から第３の情報の少なくとも２つを受け付けた際に、前記第１から第３の情報の少なくとも２つを前記設定情報群として前記記憶部に登録するステップとを備える、画像処理方法。
【請求項１６】
画像処理装置における画像処理させるための画像処理プログラムであって、
前記画像処理装置は、
表示部と、
記憶部と、
演算処理部とを備え、
前記画像処理プログラムは、前記演算処理部に、
画像の取得元を示す第１の情報と前記画像の編集内容を示す第２の情報と前記画像の出力先を示す第３の情報とを受け付けるステップと、
前記第１から第３の情報を受け付ける際に、前記表示部の第１から第３のエリアのそれぞれに前記第１から第３の情報を受け付けるための画像を表示するステップと、
前記第１から第３の情報の少なくとも２つを受け付けた際に、前記第１から第３の情報の少なくとも２つを前記設定情報群として前記記憶部に登録するステップとを実行させる、画像処理プログラム。
【発明の詳細な説明】
【技術分野】
【０００１】
この発明は、取得元から画像を取得するとともに当該画像を出力先に出力することが可能な画像処理装置、画像処理方法および画像処理プログラムに関し、特に、ユーザが取得元や出力先などの情報を登録するとともに当該取得元や出力先などの情報を利用することが可能な画像処理装置、画像処理方法および画像処理プログラムに関する。
【背景技術】
【０００２】
取得元から画像を取得するとともに当該画像を出力先に出力することが可能な画像処理装置として、ハードディスクに記憶された画像を読み出して、ネットワークを介して外部のサーバ装置などに画像を格納する画像処理装置が知られている。そして、このような画像処理装置において、ユーザが必要に応じて過去に入力された取得元や出力先などの情報を再利用できることが求められている。入力された取得元や出力先などの情報を保存することにより当該取得元や出力先などの情報を再利用できる画像処理装置に関しては、以下のような技術が提案されている。
【０００３】
たとえば、特開２００６−３３４８７０号公報（特許文献１）には、画像処理システムが開示されている。特開２００６−３３４８７０号公報（特許文献１）によると、画像処理システムを構成する複数のＭＦＰそれぞれは、ＨＤＤにユーザを識別するためのユーザ識別情報を少なくとも含む登録ユーザ情報を記憶しており、他のＭＦＰの少なくとも１つに対して、他のＭＦＰが備えるＨＤＤに記憶されている登録ユーザ情報の送信を要求し、要求に応じて、他のＭＦＰにより送信された登録ユーザ情報を受信し、受信した登録ユーザ情報を少なくとも含むユーザデータをＨＤＤに記憶する。
【０００４】
また、特開２００６−３４５９６５号公報（特許文献２）には、条件設定入力装置が開示されている。特開２００６−３４５９６５号公報（特許文献２）によると、条件設定入力装置は、条件を入力するための階層型の設定入力画面と、設定入力画面にて入力された条件を一覧表示する設定確認画面と、設定確認画面上に設けられ、入力された条件をメモリへ記憶するように指示するメモリ登録指示手段と、メモリに記憶された条件を呼び出して使用するメモリ呼出指示手段とを有する。
【０００５】
また、特開２００３−３４５９５４号公報（特許文献３）には、ワークフロー管理装置が開示されている。特開２００３−３４５９５４号公報（特許文献３）によると、フローテーブルに登録されている１ないし複数のワークフローに従い、ワークフロー制御部で処理部内の処理を選択的に実行してワークフローを進める。この時、処理部内のそれぞれの処理が実行される毎に履歴情報が生成され、履歴記憶部に記憶される。履歴記憶部では、処理部内の処理毎に履歴情報を記憶する。また、履歴情報には、当該履歴情報を残したワークフロー中の他の段階で実行した処理の履歴情報を参照するための情報を含めておき、ワークフローの処理の流れに沿った履歴情報の取得を可能にする。もちろん、ワークフローにおいて処理された履歴をフロー履歴として履歴記憶部に記憶させておくこともできる。
【０００６】
また、特開２００６−８１０９３号公報（特許文献４）には、画像処理装置が開示されている。特開２００６−８１０９３号公報（特許文献４）によると、機能グループ登録部により、１または複数の機能設定画面をグループ化して予め登録しておく。ユーザが各種機能に関する設定値の設定操作を行う場合には、機能グループ読出部でグループ化して登録された機能設定画面を読み出し、読み出したグループ化された機能設定画面各々を機能選択部で切り替え表示してパラメータ設定部で機能設定操作を行う。
【特許文献１】特開２００６−３３４８７０号公報
【特許文献２】特開２００６−３４５９６５号公報
【特許文献３】特開２００３−３４５９５４号公報
【特許文献４】特開２００６−８１０９３号公報
【発明の開示】
【発明が解決しようとする課題】
【０００７】
しかしながら、上記従来技術のような画像処理装置においては、ユーザによる画像の取得元や出力先などの情報の入力方法が複雑であり、登録された取得元や出力先などの情報の利用方法も複雑であった。
【０００８】
この発明は、かかる問題を解決するためになされたものであり、その目的は、画像の取得元や出力先などの情報をユーザが容易に登録できるとともに、登録された取得元や出力先などの情報をユーザが容易に利用することができる画像処理装置、画像処理方法および画像処理プログラムを提供することである。
【課題を解決するための手段】
【０００９】
この発明のある局面に従う画像処理装置は、表示部と、画像の取得元を示す第１の情報と画像の編集内容を示す第２の情報と画像の出力先を示す第３の情報とを互いに対応付けて設定情報群として記憶する記憶部と、第１から第３の情報を受け付ける受付手段と、受付手段が第１から第３の情報を受け付ける際に、表示部の第１から第３のエリアのそれぞれに第１から第３の情報を受け付けるための画像を表示する表示制御手段と、受付手段が第１から第３の情報の少なくとも２つを受け付けた際に、第１から第３の情報の少なくとも２つを設定情報群として記憶部に登録する登録手段とを含む。
【００１０】
好ましくは、画像処理装置は、外部からの読み出し命令に応じて、記憶部から設定情報群を読み出す読出手段をさらに含む。表示制御手段は、読出手段によって読み出された設定情報群に基づいて、表示部の第１から第３のエリアの少なくとも２つのそれぞれに第１から第３の情報の少なくとも２つを表示する。
【００１１】
好ましくは、画像処理装置は、読出手段が読み出した第１の情報に対応する取得元から画像を取得する取得手段をさらに含む。
【００１２】
好ましくは、画像処理装置は、読出手段が読み出した第２の情報に対応する編集内容に基づいて画像を編集する編集手段をさらに含む。
【００１３】
好ましくは、読出手段が読み出した第３の情報に対応する出力先へと画像を出力する出力手段をさらに含む。
【００１４】
好ましくは、表示制御手段は、ユーザが第１から第３の情報を順次入力する入力動作に対応して第１から第３のエリアを配置する。
【００１５】
好ましくは、表示制御手段は、受付手段が第１の情報を受け付ける際に、表示部の第２のエリアに複数の取得元を選択可能に表示する。
【００１６】
好ましくは、表示制御手段は、受付手段が第３の情報を受け付ける際に、表示部の第２のエリアに複数の出力先を選択可能に表示する。
【００１７】
好ましくは、受付手段は、第１から第３の情報を受け付ける際に、登録モードの選択を受け付ける。登録手段は、受付手段が第１の登録モードを受け付けた際に、第１から第３の情報の少なくとも２つに基づいて、新たな設定情報群を記憶部に登録し、受付手段が第２の登録モードを受け付けた際に、第１から第３の情報の少なくとも２つに基づいて、記憶部の設定情報群を更新する。
【００１８】
好ましくは、表示制御手段は、受付手段が第１から第３の情報を受け付ける際に、表示部に登録中である旨を表示する。
【００１９】
好ましくは、表示制御手段は、表示部に第１から第３のエリア以外のエリアに登録中である旨を表示する。
【００２０】
好ましくは、表示制御手段は、受付手段が第１から第３の情報のうちの少なくとも２つの情報を受け付けた際に、表示部の第２のエリアに少なくとも２つの情報を表示する。受付手段は、少なくとも２つの情報を設定情報群として記憶するか否かの命令を受け付ける。
【００２１】
好ましくは、表示制御手段は、表示部の第２のエリアに少なくとも２つの情報の各々を示すアイコンを表示する。
【００２２】
好ましくは、前記受付手段は、前記アイコンの表示形態を変更するための変更命令を受け付ける。前記表示制御手段は、前記表示部に前記変更命令に応じた表示形態で前記アイコンを表示する。
【００２３】
この発明の別の局面に従うと、画像処理装置における画像処理方法が提供される。画像処理装置は、表示部と、記憶部と、演算処理部とを含む。画像処理方法は、演算処理部が、画像の取得元を示す第１の情報と画像の編集内容を示す第２の情報と画像の出力先を示す第３の情報とを受け付けるステップと、演算処理部が、第１から第３の情報を受け付ける際に、表示部の第１から第３のエリアのそれぞれに第１から第３の情報を受け付けるための画像を表示するステップと、演算処理部が、第１から第３の情報の少なくとも２つを受け付けた際に、第１から第３の情報の少なくとも２つを設定情報群として記憶部に登録するステップとを含む。
【００２４】
この発明の別の局面に従うと、画像処理装置における画像処理させるための画像処理プログラムが提供される。画像処理装置は、表示部と、記憶部と、演算処理部とを含む。画像処理プログラムは、演算処理部に、画像の取得元を示す第１の情報と画像の編集内容を示す第２の情報と画像の出力先を示す第３の情報とを受け付けるステップと、第１から第３の情報を受け付ける際に、表示部の第１から第３のエリアのそれぞれに第１から第３の情報を受け付けるための画像を表示するステップと、第１から第３の情報の少なくとも２つを受け付けた際に、第１から第３の情報の少なくとも２つを設定情報群として記憶部に登録するステップとを実行させる。
【発明の効果】
【００２５】
この発明によれば、画像の取得元や出力先などの情報をユーザが容易に登録できるとともに、登録された取得元や出力先などの情報をユーザが容易に再利用することができる画像処理装置、画像処理方法および画像処理プログラムが提供される。
【発明を実施するための最良の形態】
【００２６】
この発明の実施の形態について、図面を参照しながら詳細に説明する。なお、図中の同一または相当部分については、同一符号を付してその説明は繰返さない。
【００２７】
（画像処理システムの全体構成）
図１は、本実施の形態に係る画像処理システム１の概略構成図である。図１を参照して、画像処理装置ＭＦＰと、画像処理装置ＭＦＰとネットワークＮＷを介して接続されたサーバ装置ＳＲＶとから、画像処理システム１が構成される。
【００２８】
サーバ装置ＳＲＶと、画像処理装置ＭＦＰとは、ネットワークＮＷを介して、相互に画像データなどを送受信可能に構成される。ここで、画像データ（画像ファイル）とは、文書データや図形データや写真データとしての、ＴＩＦＦ（Tagged-Image File Format）データ、ＧＩＦ（Graphics Interchange Format）データ、ＰＮＧ（Portable Network Graphics）データ、ＪＰＥＧ（Joint Photographic Experts Group）データ、ＰＤＦ（Portable Document Format）データなどを含む概念である。そして、ネットワークＮＷは、ＬＡＮ（Local Area Network）やＷＡＮ（Wide Area Network）などの専用回線や、インターネットや仮想プライベートネットワーク（Virtual Private Network）などの公衆回線からなるものであって、さらにその一部または全部が無線ＬＡＮなどの無線通信回線であってもよい。
【００２９】
画像処理装置ＭＦＰは、概して、複写機能、ファクシミリ機能およびスキャナ機能といった複数の機能を搭載したＭＦＰ（Multi Function Peripheral）である。画像処理装置ＭＦＰは、ユーザ操作に応じて、画像データを取得する。なお、画像データの取得とは、サーバ装置ＳＲＶに格納されている画像データを読み出すことや、自身の記憶装置（記憶領域）のＢＯＸ内に記憶されている画像データを読み出すことや、原稿を読み取って新たな画像データを生成することなどを含む概念である。
【００３０】
また、画像処理装置ＭＦＰは、ユーザ操作に応じて、画像データに編集処理を施す。なお、画像データの編集とは、画像データの保存形式を変更することや、画像データを結合することなどを含む概念である。
【００３１】
また、画像処理装置ＭＦＰは、ユーザ操作に応じて、編集した画像データを出力する。ここで、画像データの出力とは、画像データをサーバ装置に格納することや、画像データを自身の記憶装置のＢＯＸに格納することや、画像データをファクシミリ送信することや、画像データをメールに添付して送信することや、画像データに基づいて画像を紙媒体に印刷することなどを含む概念である。
【００３２】
（画像処理装置ＭＦＰのハードウェア構成）
図２は、本実施の形態に係る画像処理装置ＭＦＰのハードウェア構成を示す模式図である。
【００３３】
図２を参照して、画像処理装置ＭＦＰは、ＣＰＵ（Central Processing Unit）１００と、記憶部１０２と、時計ＩＣ（Integrated Circuit）１０８とを備える。これらの部位は、バス１２４を介して互いに接続される。なお、記憶部１０２は、ＲＯＭ（Read Only Memory）や、Ｓ−ＲＡＭ（Static-Random Access Memory）や、ＮＶ−ＲＡＭ（Non-Volatile Random Access Memory）や、ＨＤＤ（Hard Disk Drive）などによって構成される。
【００３４】
ＣＰＵ１００は、記憶部１０２の不揮発性メモリを構成するＲＯＭやＨＤＤなどに予め格納されたプログラムを、同じく記憶部１０２の作業用メモリを構成するＳ−ＲＡＭに読み出して実行することにより、本実施の形態に係る画像処理を実現する。なお、ＨＤＤなどによって構成される記憶部１０２は、比較的大容量のデータを不揮発的に格納することができ、後述する通信部１２２がサーバ装置ＳＲＶから受信した画像データや、後述する読取部１１２が画像を読み取ることによって取得した画像データなどを複数格納することができる。時計ＩＣ１０８は、水晶発振器などを含んで構成され、現在時刻を計測する。
【００３５】
さらに、画像処理装置ＭＦＰは、読取部１１２と、操作パネル１１４と、プリント部１１６と、プリンタコントローラ１１８と、出力処理部１２０とを備える。
【００３６】
読取部１１２は、スキャナ機能を実現するための部位であり、原稿を読取って画像データを生成する。読取部１１２は、概して、原稿をセットするための載置台と、原稿台ガラスと、載置台にセットされた原稿を原稿台ガラスに自動的に一枚ずつ搬送する搬送部と、読取られた原稿を排出するための排出台とを含む（いずれも図示しない）。
【００３７】
プリント部１１６は、画像データに基づいて、紙媒体等への画像のプリント処理を行う。プリント部１１６は、露光器や現像ローラ等からなる作像ユニット、作像ユニットで形成されたトナー像を紙媒体に転写する転写ローラ、転写されたトナー像を定着させる定着器、および各部の動作を制御する制御回路などを含む。
【００３８】
プリンタコントローラ１１８は、サーバ装置ＳＲＶやパーソナルコンピュータからの画像データや、ＢＯＸ内の画像データや、読取部１１２からの画像データを、プリント部１１６でのプリント処理に適したプリントデータへと変換する。画像処理装置ＭＦＰがカラー方式であれば、プリンタコントローラ１１８は、画像データをイエロー（Ｙ）、マゼンタ（Ｍ）、シアン（Ｃ）、ブラック（Ｋ）の４色のラスターデータに変換し、各色のラスターデータをプリント部１１６へ出力する。
【００３９】
出力処理部１２０は、プリント部１１６で画像処理された後の紙媒体に対する処理を行う部位であり、代表的に「ソート処理」、「グループ処理」、「ステープル処理」、「パンチ処理」などを実行する。ここで、「ソート処理」とは、いわゆる部単位印刷を意味する。「グループ処理」とは、設定された複数部数の紙媒体がページ毎に出力される処理である。また、「ステープル処理」は、出力される紙媒体を綴じ針（ステープル）によって綴じる処理であり、「パンチ処理」は、出力される紙媒体に綴じ穴を形成する処理である。
【００４０】
さらに、画像処理装置ＭＦＰは、ネットワークインターフェイスなどによって実現される通信部１２２を備える。通信部１２２は、ネットワークＮＷを介してパーソナルコンピュータやサーバ装置ＳＲＶとの間で画像データなどを送受信するための部位である。
【００４１】
図３は、本実施の形態に係る操作パネル１１４を示す概略図である。図２および図３に示すように、操作パネル１１４は、テンキー１３０と、プログラムボタン１３２と、操作ボタン１３４と、タッチ操作部１３６と、表示部１３８と、電源ボタン１４０とを含む。操作パネル１１４は、画像処理装置ＭＦＰの上部の、ユーザが操作しやすい位置に配置される。表示部１３８は、たとえば液晶パネルなどから構成される。この表示部１３８の表示面上にタッチ操作部１３６が配置される。表示部１３８とタッチ操作部１３６とは、タッチパネルを構成する。
【００４２】
（画像処理装置ＭＦＰの機能構成）
次に、画像処理装置ＭＦＰの機能構成について詳述する。図４は、本実施の形態に係る画像処理装置ＭＦＰの機能構成を示すブロック図である。図４を参照して、画像処理装置ＭＦＰは、受付部１００１と、取得部１００２と、編集部１００３と、出力部１００４と、登録部１００５と、読出部１００６と、表示制御部１００７とを含む。そして、上述したように、画像処理装置ＭＦＰは、タッチ操作部１３６や、表示部１３８や、記憶部１０２も含む。
【００４３】
受付部１００１、取得部１００２、編集部１００３、出力部１００４、登録部１００５、読出部１００６、及び表示制御部１００７は、ＣＰＵ１００がＲＯＭやＨＤＤなどに予め格納されていたプログラムをＳ−ＲＡＭに読み出して実行することにより実現されるものである。すなわち、受付部１００１、取得部１００２、編集部１００３、出力部１００４、登録部１００５、読出部１００６、及び表示制御部１００７は、画像処理装置ＭＦＰのＣＰＵ１００が有する機能である。
【００４４】
以下、画像処理装置ＭＦＰが有する機能ブロックの各々について詳述する。まず、Ｓ−ＲＡＭやＨＤＤなどによって実現される記憶部１０２は、設定情報ファイル１０２１と、入力情報ファイル１０２２と、編集情報ファイル１０２３と、出力情報ファイル１０２４とを記憶する。記憶部１０２は、複数の画像データ１０２５の各々を、たとえば指定されたＢＯＸ内に格納する。記憶部１０２は、入力情報ファイル１０２２に基づいて設定される画像データ１０２５の取得元を示す第１の情報と、編集情報ファイル１０２３に基づいて設定される画像データ１０２５の編集方法を示す第２の情報と、出力情報ファイル１０２４に基づいて設定される画像データ１０２５の出力先を示す第３の情報とを、ワークフロー毎に互いに対応付けて格納するワークフロー情報ファイル１０２６を記憶する。
【００４５】
図５は、記憶部１０２に記憶されている設定情報ファイル１０２１のデータ構造を示すイメージ図である。設定情報ファイル１０２１は、ワークフロー情報（設定情報群）を複数個登録するための基本情報単位となる設定情報を格納する。設定情報ファイル１０２１は、ワークフローを識別するためのワークフローＮｏやワークフロー名や、参照許可グループなどを含む。
【００４６】
図６は、記憶部１０２に記憶されている入力情報ファイル１０２２のデータ構造を示すイメージ図である。入力情報ファイル１０２２は、画像データ１０２５が格納されている記憶媒体の種類を示す情報などを格納する。たとえば、入力情報ファイル１０２２は、画像データ１０２５をスキャンによって取得するのか、記憶部１０２を構成するＨＤＤ上のＢＯＸから取得するのか、ネットワークＮＷを介して外部の記憶媒体から取得するのかを示すデータを格納する。また、画像データを取得する際の取得条件等も含む。
【００４７】
図７は、記憶部１０２に記憶されている編集情報ファイル１０２３のデータ構造を示すイメージ図である。編集情報ファイル１０２３は、画像データ１０２５のファイル形式や、ページ設定や、画像結合順位や、ページ移動や、ページ回転や、ページ削除などに関する情報を格納する。
【００４８】
図８は、記憶部１０２に記憶されている出力情報ファイル１０２４のデータ構造を示すイメージ図である。出力情報ファイル１０２４は、画像データ１０２５の出力方法の種類を示す情報などを格納する。たとえば、出力情報ファイル１０２４は、画像データ１０２５に基づいて紙媒体に画像を印刷するのか、画像データ１０２５を他の通信装置へと送信するのかを示すデータを格納する。また、各出力時の設定条件も含む。
【００４９】
次に、図４および図５を参照して、受付部１００１は、設定情報ファイル１０２１に基づいて、ワークフロー情報毎に、ワークフローＮｏやワークフロー名などを受け付ける。すなわち、受付部１００１は、新たなワークフロー情報を登録する際や既存のワークフロー情報を更新する際に、後述する表示制御部１００７や表示部１３８を介して、ユーザにワークフローＮｏやワークフロー名の入力を促す。そして、タッチ操作部１３６を介して、ユーザからワークフローＮｏやワークフロー名を受け付ける。
【００５０】
図９は、受付部１００１がタッチ操作部１３６を介してユーザから情報の入力を受け付ける際における表示部１３８を示すイメージ図である。図４、図６、図９を参照して、受付部１００１は、入力情報ファイル１０２２に基づいて、ワークフロー情報毎に、画像データ１０２５の取得元の入力を受け付ける。なお、画像データ１０２５の取得元とは、画像データ１０２５が格納されている外部装置のＢＯＸのアドレスや画像データ１０２５の取得方法などをいい、これらを合わせて第１の情報ともいう。このように、新たなワークフロー情報を登録する際や既存のワークフロー情報を更新する際には、表示制御部１００７が、表示部１３８を介して、ユーザに画像データ１０２５の取得元の入力を促す。
【００５１】
より詳細には、表示部１３８は、その左部に取得元選択エリア１３８Ａ（第１のエリア）を有する。表示制御部１００７は、表示部１３８の左部に取得元選択エリア１３８Ａを設け、当該取得元選択エリア１３８Ａに画像データ１０２５の取得元を示す複数のアイコンを選択可能に表示させる。これによって、受付部１００１は、タッチ操作部１３６を介して、ユーザから画像データ１０２５の取得元の入力を受け付ける。
【００５２】
図１０は、受付部１００１がタッチ操作部１３６を介して画像データ１０２５の取得元の入力を受け付ける際の表示部１３８を示すイメージ図である。図１０に示すように、受付部１００１がユーザから取得元選択エリア１３８Ａに表示される取得元の選択を受け付けると、表示制御部１００７は、表示部１３８に、編集エリア１３８Ｂ（第２のエリア）と出力先選択エリア１３８Ｃ（第３のエリア）とにおいて当該取得元についてさらに詳細に選択するためのアイコンを選択可能に表示させる。
【００５３】
ユーザは、所望のＢＯＸを選択した上で、ＯＫボタン１３８１を押下することによって、画像データ１０２５の取得元を決定することができる。一方、ユーザが、中止ボタン１３８２を押下することによって、画像データ１０２５の取得元の選択処理を中止することができる。受付部１００１は、画像データ１０２５の取得元が決定されると、表示制御部１００７に図９に示す画面に推移させることによって、取得元や編集内容や出力先の新たな選択を受け付ける。
【００５４】
図４、図７、図９を参照して、受付部１００１は、編集情報ファイル１０２３に基づいて、ワークフロー情報毎に、画像データ１０２５の編集内容の入力を受け付ける。なお、画像データ１０２５の編集内容とは、ファイル形式やページ設定や画像の結合順位の変更や画像の抽出や画像の削除などをいい、これらを合わせて第２の情報ともいう。このように、新たなワークフロー情報を登録する際や既存のワークフロー情報を更新する際には、表示制御部１００７が、表示部１３８を介して、ユーザに画像データ１０２５の編集内容の入力を促す。
【００５５】
より詳細には、表示部１３８は、その左右中央部分に編集エリア１３８Ｂを有する。表示制御部１００７は、表示部１３８の左右中央部分に編集エリア１３８Ｂを設け、当該編集エリア１３８Ｂに画像データ１０２５の編集内容を示すアイコンを選択可能に表示させる。これによって、受付部１００１は、タッチ操作部１３６を介して、ユーザから画像データ１０２５の編集内容の入力を受け付ける。
【００５６】
図４、図８、図９を参照して、受付部１００１は、出力情報ファイル１０２４に基づいて、ワークフロー情報毎に、画像データ１０２５の出力先の入力を受け付ける。画像データ１０２５の出力先とは、画像データ１０２５の出力先のアドレスや画像データ１０２５の出力方法などをいい、これらを合わせて第３の情報ともいう。このように、新たなワークフロー情報を登録する際や既存のワークフロー情報を更新する際には、表示制御部１００７が、表示部１３８を介して、ユーザに画像データ１０２５の出力先の入力を促す。
【００５７】
より詳細には、表示部１３８は、その右部に出力先選択エリア１３８Ｃを有する。表示制御部１００７は、表示部１３８の右部に出力先選択エリア１３８Ｃを設け、当該出力先選択エリア１３８Ｃに出力先を示す複数のアイコンを選択可能に表示させる。受付部１００１は、タッチ操作部１３６を介して、ユーザから画像データ１０２５の出力先を受け付ける。
【００５８】
図１１は、受付部１００１がタッチ操作部１３６を介して画像データ１０２５の出力先を受け付ける際の表示部１３８を示すイメージ図である。図１１に示すように、受付部１００１がユーザから出力先選択エリア１３８Ｃに表示される出力先の選択を受け付けると、表示制御部１００７は、表示部１３８に、取得元選択エリア１３８Ａと編集エリア１３８Ｂとにおいて当該出力先についてさらに詳細に選択するためのアイコンを選択可能に表示させる。
【００５９】
たとえば、ユーザが、出力先選択エリア１３８Ｃのあて先一覧を示すアイコンを選択すると、表示制御部１００７が取得元選択エリア１３８Ａおよび編集エリア１３８Ｂに、メールの送信先を示す複数のアイコンを選択可能に表示する。すなわち、受付部１００１が、メールの送信先を出力先として受け付ける。ユーザは、メールの送信先を選択した上で、ＯＫボタン１３８１を押下することによって、画像データ１０２５の出力先を決定することができる。一方、ユーザが、中止ボタン１３８２を押下することによって、画像データ１０２５の出力先の選択処理を中止することができる。受付部１００１は、画像データ１０２５の出力先が決定されると、表示制御部１００７に図９に示す画面に推移させることによって、取得元や編集内容や出力先の新たな選択を受け付ける。
【００６０】
このように、本実施の形態に係る画像処理装置ＭＦＰは、受付部１００１と表示制御部１００７とが、タッチ操作部１３６と表示部１３８とを介して、入力情報ファイル１０２２に基づいて取得元選択エリア１３８Ａに画像データ１０２５の取得元を示す複数のアイコンを選択可能に表示する。また、受付部１００１と表示制御部１００７とが、タッチ操作部１３６と表示部１３８とを介して、編集情報ファイル１０２３に基づいて編集エリア１３８Ｂに編集内容を示す複数のアイコンを選択可能に表示する。また、受付部１００１と表示制御部１００７とが、タッチ操作部１３６と表示部１３８とを介して、出力情報ファイル１０２４に基づいて出力先選択エリア１３８Ｃに出力先を示す複数のアイコンを選択可能に表示する。
【００６１】
その結果、ユーザは、同一の画面において、すなわち画面を切り替えることなく、画像データ１０２５の取得元と、画像データ１０２５に対する編集内容と、画像データ１０２５の出力先とを入力（登録）することができる。つまり、ユーザは、直感的に画像データの入力先と編集内容と出力先とを入力することができる。
【００６２】
また、それぞれのエリア１３８Ａ〜１３８Ｃは、ユーザが第１〜第３の情報を入力する流れに即して、画面左から右へと入力操作が流れていくように配置されているため、ユーザは、次に入力する情報を意識する必要がない。尚、上記においては、それぞれのエリア１３８Ａ〜１３８Ｃを、画面左側、中央部、右側に配置したが、これに限定されることはなく、入力操作に従って画面上方から下方へと、次の情報の入力を促すように配置してもよい。
【００６３】
図４を参照して、取得部１００２は、取得元から画像データ１０２５を取得する。たとえば、取得部１００２は、ネットワークＮＷを介して他のサーバ装置ＳＲＶの記憶媒体から画像データ１０２５を取得したり、自身の記憶部１０２から画像データ１０２５を読み出したり、読取部１１２に画像データ１０２５を生成させたりする。
【００６４】
編集部１００３は、画像データ１０２５に編集を施す。たとえば、編集部１００３は、画像データ１０２５のファイル形式を変更したり、画像データ１０２５を結合したり、画像データの一部を削除したりする。
【００６５】
出力部１００４は、出力先へと画像データ１０２５を出力する。たとえば、出力部１００４は、通信部１２２やネットワークＮＷを介して他のサーバ装置ＳＲＶの記憶媒体に画像データ１０２５を格納したり、プリント部１１６に画像データ１０２５に基づいて紙媒体に画像を印刷させたり、自身の記憶部１０２に画像データ１０２５を記憶したりする。
【００６６】
登録部１００５は、受付部１００１が受け付けた第１の情報と第２の情報と第３の情報とを、１つのワークフロー情報として、互いに対応付けてワークフロー情報ファイル１０２６に登録する。ここで、本実施の形態に係る登録部１００５は、受付部１００１が第１の情報と第２の情報と第３の情報のうち少なくとも２種類以上の情報を受け付けた際に、受付部１００１が受け付けた２種類以上の情報を１つのワークフロー情報として登録する。
【００６７】
すなわち、登録部１００５は、受付部１００１が第１の情報と第２の情報と第３の情報のうち少なくとも２種類以上の情報を受け付けたか否かを判断する判断部の機能を有する。登録部１００５は、受付部１００１が受け付けた２種類以上の情報を１レコードとして、ワークフロー情報ファイル１０２６に登録する。
【００６８】
より詳細には、受付部１００１が設定情報として新たなワークフローＮｏやワークフロー名を受け付けた場合（第１の登録モード）、登録部１００５は、受付部１００１が受け付けた第１〜第３の情報のうちの２種類以上の情報を、新たなワークフロー情報として、ワークフロー情報ファイル１０２６に追加する。受付部１００１が、既存のワークフロー情報の選択を受け付けた場合（第２の登録モード）、登録部１００５は、受付部１００１が受け付けた２種類以上の情報に基づいて、ワークフロー情報ファイル１０２６の該当ワークフロー情報を更新する。
【００６９】
読出部１００６は、ユーザから読出命令を受け付けて、記憶部１０２からワークフロー情報を読み出す。より詳細には、読出部１００６は、タッチ操作部１３６を介して入力されるワークフローＮｏやワークフロー名に応じて、記憶部１０２のワークフロー情報ファイル１０２６から対応するワークフロー情報を読み出す。
【００７０】
図１２は、登録済みのワークフロー情報を表示する表示部１３８を示すイメージ図である。図４および図１２に示すように、表示制御部１００７は、読出部１００６が読み出したワークフロー情報の第１の情報を取得元選択エリア１３８Ａに表示する。表示制御部１００７は、読出部１００６が読み出したワークフロー情報の第２の情報を編集エリア１３８Ｂに表示する。表示制御部１００７は、読出部１００６が読み出したワークフロー情報の第３の情報を出力先選択エリア１３８Ｃに表示する。
【００７１】
また、本実施の形態に係る画像処理装置ＭＦＰにおいては、受付部１００１が、アイコンの表示形態を変更するための変更命令を受け付け可能に構成されている。より詳細には、記憶部１０２が、アイコンの表示形態として、たとえば、紙のファイルを示すアイコンの画像や、ファイルを収容するＢＯＸを示すアイコンの画像や、ユーザ毎の写真画像などを記憶する。そして、受付部１００１と表示制御部１００７とが、ユーザからの命令に応じ、表示部１３８にそれぞれの画像に基づいてそれぞれのアイコンを選択可能に表示させることによって、受付部１００１が変更命令を受け付ける。
【００７２】
そして、表示制御部１００７は、表示部１３８の各エリア１３８Ａ，１３８Ｂ，１３８Ｃに、変更命令に応じた表示形態にてアイコンを表示する。たとえば、後述するように、表示制御部１００７は、取得元と編集内容と出力先と（第１から第３の情報）のうちユーザによって入力された２つ以上の情報のそれぞれを示すアイコンを、変更命令に応じた表示形態にて編集エリア１３８Ｂに表示する。
【００７３】
このように、本実施の形態に係る画像処理装置ＭＦＰは、読出部１００６と表示制御部１００７とが、表示部１３８を介して、取得元を示す第１の情報を取得元選択エリア１３８Ａに表示し、編集内容を示す第２の情報を編集エリア１３８Ｂに表示し、出力先を示す第３の情報を出力先選択エリア１３８Ｃに表示する。その結果、ユーザは、同一の画面において、すなわち画面を切り替えることなく、登録されている取得元と編集内容と出力先との組み合わせ（ワークフロー情報）を把握することができる。また、取得元や編集内容や出力先を登録する際におけるそれぞれの表示位置と、登録内容を表示する際におけるそれぞれの表示位置とが一致しているため、ユーザが登録されている取得元と編集内容と出力先との組み合わせを直感的に（容易に）把握することができる。
【００７４】
本実施の形態に係る画像処理装置ＭＦＰにおいては、表示制御部１００７は、登録部１００５がワークフロー情報を登録する際において、表示部１３８の取得元選択エリア１３８Ａと編集エリア１３８Ｂと出力先選択エリア１３８Ｃ以外のエリアに、ワークフロー情報の登録中である旨を表示する。たとえば、図１０および図１１に示すように、表示制御部１００７は、編集エリア１３８Ｂの上方の表示エリアに「登録中」という表示もしくは登録中を明示するアイコン表示を行う。
【００７５】
これによって、取得元や編集内容や出力先を登録する際におけるそれぞれの表示位置と、登録済みのワークフロー情報を読み出す際におけるそれぞれの表示位置とが一致していても、ユーザは、ワークフロー情報を登録するための画面が表示されているのか、登録済みのワークフロー情報を読み出した画面が表示されているのかを容易に把握することができる。
【００７６】
＜ワークフロー登録編集処理＞
以下では、主に図２および図１３を参照して、ワークフロー登録編集処理の処理手順について説明する。なお、図１３は、画像処理装置ＭＦＰにおけるワークフロー登録編集処理の処理手順を示すフローチャートである。図１４は、画像処理装置ＭＦＰの表示部１３８におけるトップ画面を示すイメージ図である。図１５は、画像処理装置ＭＦＰの表示部１３８におけるワークフロー登録のトップ画面を示すイメージ図である。図１６は、画像処理装置ＭＦＰの表示部１３８におけるワークフロー名の登録画面を示すイメージ図である。
【００７７】
まず、ＣＰＵ１００は、ワークフロー情報の登録画面を表示する（ステップＳ１０２）。より詳細には、画像処理装置ＭＦＰの表示部１３８が図１４に示すトップ画面を表示しているときに、ユーザが図３に示すプログラムボタン１３２を押下すると、ＣＰＵ１００は表示部１３８に図１５に示す画面を表示させる。
【００７８】
ＣＰＵ１００は、登録済みのワークフロー情報が選択されたか否かを判断する（ステップＳ１０４）。ＣＰＵ１００は、登録済みのワークフロー情報が選択されない場合（ステップＳ１０４にてＮＯである場合）、すなわち図１５におけるワークフロー情報の新規登録ボタン１３８３が押下されると、図１６に示すワークフロー名の登録画面を表示する（ステップＳ１０６）（第１の登録モード）。
【００７９】
図１３および図１６を参照して、ＣＰＵ１００は、ワークフロー名を受け付けたか否かを判断する（ステップＳ１０８）。すなわち、ＣＰＵ１００は、タッチ操作部１３６や表示部１３８によって実現されるソフトウェアキーボードなどを介して、新たなワークフロー名を受け付ける。
【００８０】
ＣＰＵ１００は、ワークフロー名を受け付けていない場合（ステップＳ１０８にてＮＯである場合）、すなわち中止ボタン１３８２が押下された場合、ステップＳ１０２からの処理を繰り返す。一方、ＣＰＵ１００は、ワークフロー名を受け付けた場合（ステップＳ１０８にてＹＥＳである場合）、すなわち受け付けたワークフロー名を新規ワークフロー名表示欄１３８５に表示させた状態において、ＯＫボタン１３８１が押下された場合、新規ワークフロー設定処理（ステップＳ２００）を実行する。
【００８１】
なお、新規ワークフロー設定処理（ステップＳ２００）については後述する。ＣＰＵ１００は、新規ワークフロー設定処理（ステップＳ２００）が終了すると、図１５に示すワークフロー登録のトップ画面を表示部１３８に表示させる（ステップＳ１１８）。
【００８２】
一方、ＣＰＵ１００は、登録済みのワークフロー情報が選択された場合（ステップＳ１０４にてＹＥＳである場合）、すなわち図１５における既存ワークフローボタン１３８４が押下されると、編集登録画面を表示する（ステップＳ１１０）（第２の登録モード）。より詳細には、ＣＰＵ１００は、選択されたワークフロー名に対応するワークフロー情報をワークフロー情報ファイル１０２６から読み出す。そして、図１２に示すように、ＣＰＵ１００は、取得元選択エリア１３８Ａおよび編集エリア１３８Ｂにおいて取得元及び取得する文書が選択され、かつ出力先選択エリア１３８Ｃにおいて出力先が選択された状態で、表示部１３８にワークフロー情報を表示する（Ｓ１１２）。
【００８３】
次に、ＣＰＵ１００は、ワークフロー情報に含まれる第１から第３の情報のいずれかを編集する命令を受け付ける（ステップＳ１１４）。ＣＰＵ１００は、第１から第３の情報のいずれかを編集する命令を受け付けると（ステップＳ１１４にてＹＥＳである場合）、ワークフロー情報のうちの該当情報を更新して（ステップＳ１１６）、図１５に示すワークフロー情報の登録トップ画面を表示部１３８に表示させる（ステップＳ１１８）。
【００８４】
一方、ＣＰＵ１００は、編集する命令を受け付けない場合（ステップＳ１１４にてＮＯである場合）、図１５に示すワークフロー情報の登録トップ画面を表示部１３８に表示させる（ステップＳ１１８）。
【００８５】
ただし、ＣＰＵ１００は、ワークフロー情報の登録トップ画面を表示する代わりに、選択されたワークフロー名に対応するワークフロー情報に基づいて、画像処理を実行してもよい。すなわち、ＣＰＵ１００は、ワークフロー情報に含まれる第１の情報に基づいて画像を取得し、第２の情報に基づいて画像を編集し、第３の情報に基づいて画像を出力してもよい。
【００８６】
＜新規ワークフロー設定処理＞
図１７は、画像処理装置ＭＦＰにおける新規ワークフロー設定処理の処理手順を示すフローチャートである。図１８は、画像処理装置ＭＦＰの表示部１３８における取得元を選択する際の画面を示すイメージ図である。図１９は、画像処理装置ＭＦＰの表示部１３８における画像ファイルを選択する際の画面を示すイメージ図である。図２０は、画像処理装置ＭＦＰの表示部１３８における出力先を選択する際の画面を示すイメージ図である。図２１は、ワークフロー情報の登録の可否を受け付ける際の画面を示すイメージ図である。
【００８７】
図１７に示すように、まず、ＣＰＵ１００は、ワークフロー名が入力された場合に（ステップＳ１０８にてＹＥＳである場合）、ＣＰＵ１００は、記憶部１０２の取得フラグや編集フラグや出力フラグを初期化する。すなわち、ＣＰＵ１００は、取得フラグや編集フラグや出力フラグをＯＦＦに設定する。
【００８８】
そして、ＣＰＵ１００は、画像データ１０２５の取得元に関する設定を受け付ける（ステップＳ２０２）。より詳細には、ＣＰＵ１００は、表示部１３８に図１８に示す取得元選択画面を表示させることにより、ユーザからタッチ操作部１３６を介して、画像データ１０２５が格納されているＢＯＸの指定や、原稿をスキャンする旨の指定を受け付ける。
【００８９】
たとえば、ユーザが、読み込み一覧を表示するためのボタンを押下すると、図１９に示すように、ＣＰＵ１００は、画像ファイルＸ，Ｙ，Ｚを編集エリア１３８Ｂに選択可能に表示する。ＣＰＵ１００は、画像データ１０２５の取得元に関する設定を受け付けた場合（ステップＳ２０２にてＹＥＳである場合）、すなわち、図１９におけるＯＫボタン１３８１が押下されると、記憶部１０２の取得フラグをＯＮに設定して（ステップＳ２０４）、ステップＳ２０６からの処理を実行する。ＣＰＵ１００は、図１９における中止ボタン１３８２が押下された場合や、取得元が選択されない状態でＯＫボタン１３８１が押下された場合にもステップＳ２０６からの処理を実行する。
【００９０】
ＣＰＵ１００は、画像データ１０２５に関する編集内容が入力されたか否かを判断する（ステップＳ２０６）。ＣＰＵ１００は、画像データ１０２５に関する編集内容を受け付けた場合（ステップＳ２０６にてＹＥＳである場合）、編集内容を記憶部１０２に一時的に記憶する（ステップＳ２０８）。ＣＰＵ１００は、編集フラグをＯＮに設定して（ステップＳ２１０）、ステップＳ２１２からの処理を実行する。ＣＰＵ１００は、編集内容が入力されない場合にも、ステップＳ２１２からの処理を実行する。
【００９１】
ＣＰＵ１００は、画像データ１０２５の出力先に関する設定を受け付ける（ステップＳ２１２）。より詳細には、ＣＰＵ１００は、表示部１３８に図２０に示す出力先選択画面を表示させることにより、ユーザからタッチ操作部１３６を介して、画像データ１０２５を格納するＢＯＸの指定や、画像データ１０２５に基づいて印刷する旨の指定を受け付ける。たとえば、ユーザは、Ｂさんという名称のＢＯＸを指定したり、あて先一覧を押下したうえでメールの送信先を指定したりする。
【００９２】
ＣＰＵ１００は、画像データ１０２５の取得元に関する設定を受け付けた場合（ステップＳ２１２にてＹＥＳである場合）、すなわち、図２０におけるＯＫボタン１３８１が押下されると、記憶部１０２の出力フラグをＯＮに設定して（ステップＳ２１４）、ステップＳ２１６からの処理を実行する。ＣＰＵ１００は、図２０における中止ボタン１３８２が押下された場合や、出力先が選択されない状態でＯＫボタン１３８１が押下された場合にもステップＳ２１６からの処理を実行する。
【００９３】
次に、ＣＰＵ１００は、記憶部１０２の取得フラグや編集フラグや出力フラグを参照して、取得元と編集内容と出力先と（第１から第３の情報）のうち２つ以上の情報が入力されたか否かを判断する（ステップＳ２１６）。ＣＰＵ１００は、２つ以上の情報が入力されない場合（ステップＳ２１６にてＮＯである場合）、ステップＳ２０２からの処理を繰り返す。
【００９４】
一方、ＣＰＵ１００は、２つ以上の情報が入力された場合（ステップＳ２１６にてＹＥＳである場合）、表示部１３８に図２１に示す登録確認画面を表示させて、ワークフロー情報の登録の可否を受け付ける（ステップＳ２１８）。このとき、表示制御部１００７として機能するＣＰＵ１００は、取得元と編集内容と出力先と（第１から第３の情報）のうちユーザによって入力された２つ以上の情報のそれぞれを示すアイコンを編集エリア１３８Ｂに表示する。そして、受付部１００１として機能するＣＰＵ１００は、ワークフロー登録ボタン１３８６が押下されると（ステップＳ２１８にてＹＥＳである場合）、ステップＳ２０２とステップＳ２０６とステップＳ２１２とにおいて入力された第１から第３の情報を１つのワークフロー情報として記憶部１０２のワークフロー情報ファイル１０２６に追加して（ステップＳ２２０）、新規ワークフロー設定処理を終了する。
【００９５】
［その他の実施の形態］
本発明に係るプログラムは、コンピュータのオペレーティングシステム（ＯＳ）の一部として提供されるプログラムモジュールのうち、必要なモジュールを所定の配列で所定のタイミングで読み出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９６】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００９７】
提供されるプログラム製品は、ハードディスクなどのプログラム格納部にインストールされて実行される。なお、プログラム製品は、プログラム自体と、プログラムが記憶された記憶媒体とを含む。
【００９８】
さらに、本発明に係るプログラムによって実現される機能の一部または全部を専用のハードウェアによって構成してもよい。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】本実施の形態に係る画像処理システムの概略構成図である。
【図２】本実施の形態に係る画像処理装置のハードウェア構成を示す模式図である。
【図３】本実施の形態に係る操作パネルを示す概略図である。
【図４】本実施の形態に係る画像処理装置の機能構成を示すブロック図である。
【図５】記憶部に記憶されている設定情報ファイルのデータ構造を示すイメージ図である。
【図６】記憶部に記憶されている入力情報ファイルのデータ構造を示すイメージ図である。
【図７】記憶部に記憶されている編集情報ファイルのデータ構造を示すイメージ図である。
【図８】記憶部に記憶されている出力情報ファイルのデータ構造を示すイメージ図である。
【図９】受付部がタッチ操作部を介してユーザから情報を受け付ける際における表示部を示すイメージ図である。
【図１０】受付部がタッチ操作部を介して画像データの取得元を受け付ける際の表示部を示すイメージ図である。
【図１１】受付部がタッチ操作部を介して出力先を受け付ける際の表示部を示すイメージ図である。
【図１２】登録済みのワークフロー情報を表示する表示部を示すイメージ図である。
【図１３】画像処理装置におけるワークフロー登録編集処理の処理手順を示すフローチャートである。
【図１４】画像処理装置の表示部におけるトップ画面を示すイメージ図である。
【図１５】画像処理装置の表示部におけるワークフロー登録のトップ画面を示すイメージ図である。
【図１６】画像処理装置の表示部におけるワークフロー名の登録画面を示すイメージ図である。
【図１７】画像処理装置における新規ワークフロー設定処理の処理手順を示すフローチャートである。
【図１８】画像処理装置の表示部における取得元を選択する際の画面を示すイメージ図である。
【図１９】画像処理装置の表示部における画像ファイルを選択する際の画面を示すイメージ図である。
【図２０】画像処理装置の表示部における出力先を選択する際の画面を示すイメージ図である。
【図２１】ワークフロー情報の登録の可否を受け付ける際の画面を示すイメージ図である。
【符号の説明】
【０１０１】
１  画像処理システム、１００  ＣＰＵ、１０２  記憶部、１１２  読取部、１１４  操作パネル、１１６  プリント部、１１８  プリンタコントローラ、１２０  出力処理部、１２２  通信部、１２４  バス、１３０  テンキー、１３２  プログラムボタン、１３４  操作ボタン、１３６  タッチ操作部、１３８  表示部、１３８Ａ  取得元選択エリア、１３８Ｂ  編集エリア、１３８Ｃ  出力先選択エリア、１４０  電源ボタン、１００１  受付部、１００２  取得部、１００３  編集部、１００４  出力部、１００５  登録部、１００６  読出部、１００７  表示制御部、１０２１  設定情報ファイル、１０２２  入力情報ファイル、１０２３  出力情報ファイル、１０２３  編集情報ファイル、１０２４  出力情報ファイル、１０２５  画像データ、１０２６  ワークフロー情報ファイル、ＭＦＰ  画像処理装置、ＮＷ  ネットワーク、ＳＲＶ  サーバ装置。
【図１】
2010074409.tif 000003
【図２】
2010074409.tif 000004
【図３】
2010074409.tif 000005
【図４】
2010074409.tif 000006
【図５】
2010074409.tif 000007
【図６】
2010074409.tif 000008
【図７】
2010074409.tif 000009
【図８】
2010074409.tif 000010
【図９】
2010074409.tif 000011
【図１０】
2010074409.tif 000012
【図１１】
2010074409.tif 000013
【図１２】
2010074409.tif 000014
【図１３】
2010074409.tif 000015
【図１４】
2010074409.tif 000016
【図１５】
2010074409.tif 000017
【図１６】
2010074409.tif 000018
【図１７】
2010074409.tif 000019
【図１８】
2010074409.tif 000020
【図１９】
2010074409.tif 000021
【図２０】
2010074409.tif 000022
【図２１】
2010074409.tif 000023
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
表示部と、
画像の取得元を示す第１の情報と前記画像の編集内容を示す第２の情報と前記画像の出力先を示す第３の情報とを互いに対応付けて設定情報群として記憶する記憶部と、
前記第１から第３の情報を受け付ける受付手段と、
前記受付手段が前記第１から第３の情報を受け付ける際に、前記表示部の第１から第３のエリアのそれぞれに前記第１から第３の情報を受け付けるための画像を表示する表示制御手段と、
前記受付手段が前記第１から第３の情報の少なくとも２つを受け付けた際に、前記第１から第３の情報の少なくとも２つを前記設定情報群として前記記憶部に登録する登録手段とを備える、画像処理装置。
【請求項２】
外部からの読み出し命令に応じて、前記記憶部から前記設定情報群を読み出す読出手段をさらに備え、
前記表示制御手段は、前記読出手段によって読み出された前記設定情報群に基づいて、前記表示部の前記第１から第３のエリアの少なくとも２つのそれぞれに前記第１から第３の情報の少なくとも２つを表示する、請求項１に記載の画像処理装置。
【請求項３】
前記第１の情報に対応する取得元から前記画像を取得する取得手段をさらに備える、請求項１または２に記載の画像処理装置。
【請求項４】
前記第２の情報に対応する編集内容に基づいて前記画像を編集する編集手段をさらに備える、請求項１から３のいずれか１項に記載の画像処理装置。
【請求項５】
前記第３の情報に対応する出力先へと画像を出力する出力手段をさらに備える、請求項１から４のいずれか１項に記載の画像処理装置。
【請求項６】
前記表示制御手段は、ユーザが第１から第３の情報を順次入力する入力動作に対応して前記第１から第３のエリアを配置する、請求項１から５のいずれか１項に記載の画像処理装置。
【請求項７】
前記表示制御手段は、前記受付手段が前記第１の情報を受け付ける際に、前記表示部の第２のエリアに複数の取得元を選択可能に表示する、請求項１から６のいずれか１項に記載の画像処理装置。
【請求項８】
前記表示制御手段は、前記受付手段が前記第３の情報を受け付ける際に、前記表示部の前記第２のエリアに複数の出力先を選択可能に表示する、請求項１から７のいずれか１項に記載の画像処理装置。
【請求項９】
前記受付手段は、前記第１から第３の情報を受け付ける際に、登録モードの選択を受け付け、
前記登録手段は、
前記受付手段が第１の登録モードを受け付けた際に、前記第１から第３の情報の少なくとも２つに基づいて、新たな設定情報群を前記記憶部に登録し、
前記受付手段が第２の登録モードを受け付けた際に、前記第１から第３の情報の少なくとも２つに基づいて、前記記憶部の設定情報群を更新する、請求項１から８のいずれか１項に記載の画像処理装置。
【請求項１０】
前記表示制御手段は、前記受付手段が前記第１から第３の情報を受け付ける際に、前記
表示部に登録中である旨を表示する、請求項１から９のいずれか１項に記載の画像処理装置。
【請求項１１】
前記表示制御手段は、前記表示部に前記第１から第３のエリア以外のエリアに前記登録中である旨を表示する、請求項１０に記載の画像処理装置。
【請求項１２】
前記表示制御手段は、前記受付手段が前記第１から第３の情報のうちの少なくとも２つの情報を受け付けた際に、前記表示部の前記第２のエリアに前記少なくとも２つの情報を表示し、
前記受付手段は、前記少なくとも２つの情報を前記設定情報群として記憶するか否かの命令を受け付ける、請求項１から１１に記載の画像処理装置。
【請求項１３】
前記表示制御手段は、前記表示部の前記第２のエリアに前記少なくとも２つの情報の各々を示すアイコンを表示する、請求項１２に記載の画像処理装置。
【請求項１４】
前記受付手段は、前記アイコンの表示形態を変更するための変更命令を受け付け、
前記表示制御手段は、前記表示部に前記変更命令に応じた表示形態で前記アイコンを表示する、請求項１３に記載の画像処理装置。
【請求項１５】
画像処理装置における画像処理方法であって、
前記画像処理装置は、
表示部と、
記憶部と、
演算処理部とを備え、
前記画像処理方法は、
前記演算処理部が、画像の取得元を示す第１の情報と前記画像の編集内容を示す第２の情報と前記画像の出力先を示す第３の情報とを受け付けるステップと、
前記演算処理部が、前記第１から第３の情報を受け付ける際に、前記表示部の第１から第３のエリアのそれぞれに前記第１から第３の情報を受け付けるための画像を表示するステップと、
前記演算処理部が、前記第１から第３の情報の少なくとも２つを受け付けた際に、前記第１から第３の情報の少なくとも２つを前記設定情報群として前記記憶部に登録するステップとを備える、画像処理方法。
【請求項１６】
画像処理装置に画像処理させるための画像処理プログラムであって、
前記画像処理装置は、
表示部と、
記憶部と、
演算処理部とを備え、
前記画像処理プログラムは、前記演算処理部に、
画像の取得元を示す第１の情報と前記画像の編集内容を示す第２の情報と前記画像の出力先を示す第３の情報とを受け付けるステップと、
前記第１から第３の情報を受け付ける際に、前記表示部の第１から第３のエリアのそれぞれに前記第１から第３の情報を受け付けるための画像を表示するステップと、
前記第１から第３の情報の少なくとも２つを受け付けた際に、前記第１から第３の情報の少なくとも２つを前記設定情報群として前記記憶部に登録するステップとを実行させる、画像処理プログラム。
【手続補正２】
【補正対象書類名】明細書
【補正対象項目名】０００４
【補正方法】変更
【補正の内容】
【０００４】
また、特開２００１−３４５９６５号公報（特許文献２）には、条件設定入力装置が開示されている。特開２００１−３４５９６５号公報（特許文献２）によると、条件設定入力装置は、条件を入力するための階層型の設定入力画面と、設定入力画面にて入力された条件を一覧表示する設定確認画面と、設定確認画面上に設けられ、入力された条件をメモリへ記憶するように指示するメモリ登録指示手段と、メモリに記憶された条件を呼び出して使用するメモリ呼出指示手段とを有する。
【手続補正３】
【補正対象書類名】明細書
【補正対象項目名】０００６
【補正方法】変更
【補正の内容】
【０００６】
また、特開２００６−８１０９３号公報（特許文献４）には、画像処理装置が開示されている。特開２００６−８１０９３号公報（特許文献４）によると、機能グループ登録部により、１または複数の機能設定画面をグループ化して予め登録しておく。ユーザが各種機能に関する設定値の設定操作を行う場合には、機能グループ読出部でグループ化して登録された機能設定画面を読み出し、読み出したグループ化された機能設定画面各々を機能選択部で切り替え表示してパラメータ設定部で機能設定操作を行う。
【特許文献１】特開２００６−３３４８７０号公報
【特許文献２】特開２００１−３４５９６５号公報
【特許文献３】特開２００３−３４５９５４号公報
【特許文献４】特開２００６−８１０９３号公報